(57)【要約】      （修正有）【課題】色彩が変化する機能材料の用途を広げた積層体の提供。【解決手段】粘着テープ１は、伸縮可能な基材１０と、基材１０とに積層され、引っ張り強さの大きさに応じて連続的に色彩が変化する色変化層２０と、色変化層２０より上側に積層され、色変化層２０の色彩の変化に対応する色彩を有する指標３０とを備える積層体。更に、色変化層２０よりも下側に積層され、積層体（粘着テープ１）を被着体に粘着剤層５０を備える積層体。引っ張り強さを色変化層２０の色彩を指標３０により確認することが出来、例えば医療、電機、機械、自動車等の分野での引っ張り強さによる判定、管理等に色彩が変化する機能材料の用途を広げることができる。【選択図】図１
2017024376.tif 000002
【特許請求の範囲】
【請求項１】
伸縮可能な基材と、
前記基材に積層され、引っ張り強さの大きさに応じて連続的に色彩が変化する色変化層と、
を備える積層体。
【請求項２】
請求項１に記載の積層体において、
前記色変化層よりも上側に積層され、前記色変化層の色彩の変化に対応した色彩を有する指標を備えること、
を特徴とする積層体。
【請求項３】
請求項１又は請求項２に記載の積層体において、
前記色変化層は、前記基材よりも上側の全面に積層されていること、
を特徴とする積層体。
【請求項４】
引っ張り強さの大きさに応じて連続的に色彩が変化する色変化層と、
前記色変化層よりも上側に積層され、前記色変化層の色彩の変化に対応した色彩を有する指標と、
を備える積層体。
【請求項５】
請求項１から請求項４のいずれかに記載の積層体において、
前記色変化層よりも下側に積層され、この積層体を被着体に粘着させる粘着剤層を備えること、
を特徴とする積層体。
【発明の詳細な説明】
【技術分野】
【０００１】
本発明は、色彩が変化する積層体に関するものである。
【背景技術】
【０００２】
従来、応力の作用に応じて、色彩が変化する機能材料（例えば特許文献１に記載の自己組織化ポリマー膜）があった。
しかし、このような機能部材の用途は、一部の分野（例えば特許文献２の真贋判定シート）に限られていた。
【先行技術文献】
【特許文献】
【０００３】
【特許文献１】特開２００７−３１４７５０号公報
【特許文献２】特許第５５８９６４０号公報
【発明の概要】
【発明が解決しようとする課題】
【０００４】
本発明の課題は、色彩が変化する機能材料の用途を広げた積層体を提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、伸縮可能な基材（１０）と、前記基材に積層され、引っ張り強さの大きさに応じて連続的に色彩が変化する色変化層（２０）と、を備える積層体である。
・第２の発明は、第１の発明の積層体において、前記色変化層（２０）よりも上側に積層され、前記色変化層の色彩の変化に対応した色彩を有する指標（３０，３０−１〜３０−９）を備えること、を特徴とする積層体である。
・第３の発明は、第１又は第２の発明の積層体において、前記色変化層（２０）は、前記基材（１０）よりも上側の全面に積層されていること、を特徴とする積層体である。
・第４の発明は、引っ張り強さの大きさに応じて連続的に色彩が変化する色変化層（２０）と、前記色変化層よりも上側に積層され、前記色変化層の色彩の変化に対応した色彩を有する指標（３０，３０−１〜３０−９）と、を備える積層体である。
・第５の発明は、第１から第４のいずれかの発明の積層体（１，１Ｌ，１Ｒ）において、前記色変化層（２０）よりも下側に積層され、この積層体を被着体に粘着させる粘着剤層（５０）を備えること、を特徴とする積層体である。
【発明の効果】
【０００７】
本発明によれば、色彩が変化する機能材料の用途を広げた積層体を提供できる。
【図面の簡単な説明】
【０００８】
【図１】実施形態の粘着テープ１を示すである。
【図２】実施形態の粘着テープ１（１Ｌ，１Ｒ）の使用方法の一例を説明する図である。
【図３】実施形態の粘着テープ１（１Ｌ，１Ｒ）の使用方法の一例を説明する図である。
【発明を実施するための形態】
【０００９】
（実施形態）
以下、図面等を参照して、本発明の実施形態について説明する。
図１は、実施形態の粘着テープ１を示すである。
図１（Ａ）は、粘着テープ１を上側Ｚ２から見た図である。
図１（Ｂ）は、粘着テープ１の断面図（図１（Ａ）のＢ−Ｂ部断面図）である。
図１（Ｃ）は、粘着テープ１の一部が伸びた状態を、上側Ｚ２から見た図である。
実施形態、図面では、説明と理解を容易にするために、ＸＹＺ直交座標系を設けた。この座標系は、粘着テープ１の長手方向Ｘ（図１（Ａ）において左側Ｘ１、右側Ｘ２）、短手方向Ｙ（図１（Ａ）において下側Ｙ１、上側Ｙ２）、厚さ方向Ｚ（図１（Ｂ）において下側Ｚ１、上側Ｚ２）を示す。
なお、図面では、便宜上、色彩の濃度を、ドッド密度で表す。
【００１０】
粘着テープ１（積層体）は、スポーツ選手が負傷を防止等するために、筋肉等のテーピングに用いられるテープである。粘着テープ１は、人体（被着体）に粘着可能である。粘着テープ１の外形は、長手方向Ｘに細長い長方形である。粘着テープ１は、使用前の状態では、例えばロール状になっている。
【００１１】
粘着テープ１は、基材１０、色変化層２０、指標３０、透明保護層４０、粘着剤層５０、剥離紙５１を備える。
粘着剤層５０、基材１０、色変化層２０、透明保護層４０は、剥離紙５１上に、下側Ｚ１から上側Ｚ２にこの順番で積層されている。なお、実施形態の層構成は、一例であり、適宜、他の層を追加してもよい。
【００１２】
基材１０は、例えば、弾性ゴム等の材料を含んでおり、長手方向Ｘに伸縮する。
色変化層２０は、基材１０の上面全面に、ベタ状に積層されている。
色変化層２０の色彩は、色変化層２０の長手方向Ｘにおける伸縮に応じて、つまり、色変化層２０に引っ張り力（応力）が作用することに応じて変化する。
実施形態では、色変化層２０の色彩は、引っ張り力が作用していな状態では黄色であり、引っ張り力が作用することに応じて橙色に変化する。色彩が変化する態様は、引っ張り力の大きさに応じて連続的に変化する。このため、色変化層２０の色彩は、色変化層２０の伸び量に応じて、つまり、色変化層２０の引っ張り力が大きくなるに従って、橙色の色味が濃くなっていく。
【００１３】
実施形態では、粘着テープ１が引っ張られていない状態を「無引っ張り状態」という。一方、粘着テープ１の使用上、最も引っ張られた状態を、「強引っ張り状態」という。
また、実施形態では、粘着テープ１が「無引っ張り状態」から「強引っ張り状態」に至る一部の状態であって、そのうちの弱い一部の状態を「弱引っ張り状態」といい、そのうちの強い一部の状態を「中引っ張り状態」という。
つまり、「無引っ張り状態」の粘着テープ１は、引っ張り強さを徐々に大きくなるように引っ張られる場合に、「弱引っ張り状態」、「中引っ張り状態」を順に経て、「強引っ張り状態」に至る。
【００１４】
実施形態では、強引っ張り状態における色変化層２０の色彩は、「橙色」である。「弱引っ張り状態」の色変化層２０の色彩は、黄色に近い色彩であり、「近黄色」という。「中引っ張り状態」の色変化層２０の色彩は、橙色に近い色彩であり、「近橙色」という。
つまり、「無引っ張り状態」の粘着テープ１の色彩は、引っ張り強さを徐々に大きくなるように引っ張られることにより「強引っ張り状態」に至る場合に、「黄色」から連続的に色彩が変化することにより橙色の色味が濃くなっていき、「近黄色」、「近橙色」を順に経て、「橙色」に至る。
図面では、ドッド密度が細かい程（つまり、濃度が濃い程）、橙色の色彩に近いことを示す。
【００１５】
色変化層２０の材料は、例えば、特開２００７−３１４７５０号公報に記載されている自己組織化ポリマーや置換ポリアセチレンを含んだものを使用できる。「自己組織化ポリマー」とは、外部刺激により分子の高次構造を自ら変化させることができるポリマーをいう。
色変化層２０の色彩は、ポリマー鎖がらせん構造を有するポリマーに、外的負荷を付与することにより、例えば、以下の理由によって変化する。
・「らせん方向及び／又はポリマー鎖の配向」と、「らせん構造及び／又は結晶構造」と、を可逆的ないしは不可逆的に変化させる。
・新たならせん構造を形成させる。
【００１６】
指標３０は、色変化層２０の引っ張り力、つまり、粘着テープ１の伸縮量を判断するための目印になるものである。指標３０は、色変化層２０上に印刷等によって設けられている。
指標３０は、４つの色部３１〜３４を一組として、長手方向Ｘに複数組み配置されている。
左端の色部３１は、無引っ張り状態の色変化層２０に対応した色彩であり、つまり、無引っ張り状態の色変化層２０と同一の色彩であり、「黄色」である。
右端の色部３４は、強引っ張り状態の色変化層２０に対応した色彩であり、つまり、強引っ張り状態の色変化層２０と同一の色彩であり、「橙色」である。
【００１７】
左端の色部３１及び右端の色部３４間の色部３２，３３は、「黄色」及び「橙色」の中間色である。
こられのうち、左側の色部３２は、弱引っ張り状態の色変化層２０に対応した色彩であり、つまり、弱引っ張り状態の色変化層２０と同一の色彩であり、「近黄色」である。
一方、右側の色部３３は、中引っ張り状態の色変化層２０に対応した色彩であり、つまり、中引っ張り状態の色変化層２０と同一の色彩であり、「近橙色」である。
このように、指標３０は、色変化層２０の色彩の変化に対応した色彩を有する４つの色部３１〜３４を備える。すなわち、４つの色部３１〜３４の色彩は、無引っ張り状態から強引っ張り力に至るに従って色変化層２０が変化する場合の色彩を、左端から右端に向けて順に表現する。
【００１８】
透明保護層４０は、色変化層２０、指標３０を、摩擦、汚損等から保護する層である。透明保護層４０は、透明な層である。透明保護層４０は、基材１０と同様に、伸縮可能である。
透明保護層４０は、色変化層２０、指標３０を一体で覆うように、積層されている。
粘着剤層５０は、基材１０の下面に積層されている。粘着剤層５０は、粘着剤によって形成される。粘着剤層５０は、この粘着テープ１を被着体に粘着させる。
剥離紙５１は、紙材等にシリコン樹脂等が塗布されたものであり、粘着剤層５０に剥離可能に積層されている。
なお、使用前において、粘着テープ１がロール状に形成され、かつ、粘着剤層５０が透明保護層４０から容易に剥離可能であれば、剥離紙５１は、不要である。
【００１９】
上記構成によって、粘着テープ１は、剥離紙５１から剥離された状態で、基材１０、色変化層２０、指標３０、透明保護層４０、粘着剤層５０が一体で、長手方向Ｘに伸縮する。この場合、粘着テープ１には、基材１０、色変化層２０、指標３０、透明保護層４０、粘着剤層５０の全てが伸縮することによって、その伸縮量に応じた引っ張り力が働く。また、粘着テープ１は、基材１０の弾力性を適宜設定することにより、使用用途に応じた引っ張り強度に設定することができる。
【００２０】
［上側Ｚ２（上面側）から見た色彩］
この粘着テープ１を、上側Ｚ２から見た状態の色彩について説明する。
透明保護層４０は、透明である。このため、粘着テープ１を上側Ｚ２から見ると、色変化層２０上に指標３０が観察される。
図１（Ｃ）は、粘着テープ１のうち３つの指標３０（３０−１〜３０−３）を含む部分を示す。
図１（Ｃ）の例では、範囲Ａ１は、弱引っ張り状態である。範囲Ａ２は、強引っ張り状態である。その他の範囲は、無引っ張り状態である。
なお、範囲Ａ１のうち両端部は、弱引っ張り状態から無引っ張り状態に変化する領域である。範囲Ａ２も同様に、変化する領域を備える。
【００２１】
範囲Ａ１では、粘着テープ１が弱引っ張り状態であるので、範囲Ａ１の色変化層２０の色彩は、指標３０−１の色部３２と同じ近黄色である。これにより、作業者は、範囲Ａ１の色変化層２０と、指標３０−１とを見比べることにより、範囲Ａ１の粘着テープ１の引っ張りの度合が「弱引っ張り状態」であると判定できる。
この場合、色部３２を囲うように色変化層２０が配置されているので、両者の比較が容易である。
なお、範囲Ａ１のうち両端部は、近黄色から黄色に徐々に色彩が変化し、つまり、色彩がグラデーション状に変化する。このため、作業者は、両端部では、引っ張り状態が変化する態様を判定できる。
【００２２】
範囲Ａ２では、粘着テープ１が強引っ張り状態であるので、範囲Ａ２の色変化層２０の色彩は、指標３０−３の色部３４と同じ橙色である。これにより、範囲Ａ１と同様に、作業者は、範囲Ａ２の粘着テープ１の引っ張りの度合が「強引っ張り状態」であると判定できる。また、作業者は、範囲Ａ２の両端部では、引っ張り状態が変化する態様を判定できる。
【００２３】
範囲Ａ１，Ａ２以外では、粘着テープ１が無引っ張り状態であるので、範囲Ａ１，Ａ２以外の色変化層２０の色彩は、指標３０−２の色部３１と同じ黄色である。これにより、作業者は、範囲Ａ１，Ａ２以外の粘着テープ１の引っ張りの度合が「無引っ張り状態」であると判定できる。
【００２４】
このように、作業者は、色変化層２０の色彩と、指標３０の色彩とを比較することにより、粘着テープ１の引っ張り強さを判定できる。また、指標３０が長手方向Ｘに複数配置されているので、範囲に応じて粘着テープ１の引っ張り強さが異なる場合でも、作業者は、各範囲の色変化層２０の色彩と、各範囲の指標３０とを比較することにより、各範囲の引っ張り強さを判定できる。
【００２５】
［使用方法］
作業者が粘着テープ１から剥離紙５１を剥がし、人体の足６０にテーピングする例を説明する。
図２、図３は、実施形態の粘着テープ１（１Ｌ，１Ｒ）の使用方法の一例を説明する図である。
図２（Ａ）は、足６０の左側面図である。
図２（Ｂ）は、足６０の正面図である。
図２（Ｃ）は、足６０の右側面図である。
図３は、範囲Ａ３，Ａ４近傍の拡大図である。
図２、図３の例は、足６０（右足）の左側面、右側面に、粘着テープ１Ｌ，１Ｒをテーピングしている。粘着テープ１Ｌ，１Ｒの長手方向Ｘは、それぞれ、足６０の長さ方向に沿った方向である。
粘着テープ１Ｌ，１Ｒは、それぞれ９つの指標３０（３０−１〜３０−９）を備える。
【００２６】
図２（Ａ）、図３（Ａ）に示すように、左側面の粘着テープ１Ｌは、粘着テープ１Ｌの全面の色彩が変化している。
中央の範囲Ａ３では、色変化層２０の色彩は、近橙色である。作業者（例えば、人体にテーピングを施すトレーナ等）は、範囲Ａ３の色変化層２０の色彩と、その範囲Ａ３の指標３０−５，３０−６の色部３２の色彩とを、比較することにより、範囲Ａ３の粘着テープ１Ｌが中引っ張り状態であることを判定できる。
同様に、作業者は、指標３０−１〜３０−４，３０−７〜３０−９の色部３２と比較することにより、粘着テープ１Ｌのうち範囲Ａ３以外が弱引っ張り状態であることを判定できる。
このように、作業者は、足６０の左側面が、粘着テープ１Ｌが全長に渡って引っ張り状態になるように施されていることを判定できる。また、作業者は、粘着テープ１Ｌの中央の範囲Ａ３が中引っ張り状態であり、その他の範囲が弱引っ張り状態であることを判定できる。
【００２７】
図２（Ｃ）、図３（Ｂ）に示すように、右側面の粘着テープ１Ｒは、粘着テープ１Ｒの中央の色彩が変化している。
中央の範囲Ａ４では、色変化層２０の色彩は、橙色である。作業者は、範囲Ａ４の色変化層２０の色彩と、その範囲Ａ４の指標３０−５，３０−６の色部３４の色彩とを、比較することにより、範囲Ａ４の粘着テープ１Ｒが強引っ張り状態であることを判定できる。
同様に、作業者は、指標３０−１〜３０−３，３０−７〜３０−９の色部３１と比較することにより、これらの指標の範囲が無引っ張り状態であることを判定できる。また、作業者は、指標３０−４の範囲では、強引っ張り状態から無引っ張り状態へと変化する態様を判定できる。
このように、作業者は、足６０の右側面には、粘着テープ１Ｒの中央の範囲Ａ４のみが強引っ張り状態であることにより、膝部分に強い引っ張り力がかかっていることを判定できる。また、作業者は、その他の範囲が無引っ張り状態等であることを判定できる。
【００２８】
このように、作業者は、色変化層２０の色彩と、指標３０とを比較することにより、粘着テープ１Ｌ，１Ｒの各範囲の引っ張り強さを判定できる。これにより、作業者は、足６０に対して、所望の引っ張り強さのテーピングが施されているかを確認できる。また、作業者は、運動中において、足６０の動作に応じた色変化層２０の色彩の変化を観察することにより、どのように引っ張り強さが変化するかを確認することもできる。
【００２９】
なお、上記使用方法では、粘着テープ１Ｌ，１Ｒは、粘着テープ１Ｌ，１Ｒの長手方向Ｘが足６０の長さ方向に沿った方向にテーピングされる例を示したが、これに限定されない。例えば、粘着テープ１は、足６０に巻き付けるように、テーピングしてもよい。この場合でも、作業者は、色変化層２０と指標３０とを比較することにより、引っ張り強さを確認できる。
【００３０】
以上説明したように、本実施形態の粘着テープ１，１Ｌ，１Ｒは、色変化層２０と指標３０とを比較することにより、引っ張り強さを確認できる。
また、粘着テープ１は、色彩が変化する機能材料を基材１０上に積層することにより、又は指標３０を設けることにより、このような機能材料の用途を広げることができる。
【００３１】
以上、本発明の実施形態について説明したが、本発明は前述した実施形態に限定されるものではなく、例えば、後述する変形形態等のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００３２】
（変形形態）
（１）実施形態において、粘着テープは、人体のテーピングに用いられる例を示したが、これに限定されない。粘着テープは、例えば、以下の用途に使用できる。
・電気ケーブル同士を接続した場合に、接続部を巻き付けることにより、電線部分が外部露出しないように保護する絶縁テープ（ビニールテープともいう）として利用してもよい。この場合にも、色変化層の色彩を確認することにより、適切な引っ張り強さ、均一な引っ張り強さで、巻かれていることを判定できる。
・タイヤに貼り付けて、色変化層の色彩の変化を確認することにより、タイヤの膨張度合を確認できる。これにより、タイヤが適切な空気圧であるかを判定できる。
・ゴムベルト等の機械部品に貼り付けて、色変化層の色彩の変化を確認することにより、ゴムベルトの伸長度合を確認できる。これにより、このような機械部品の交換時期等を判定できる。
【００３３】
（２）実施形態において、積層体は、粘着剤層が設けられた粘着テープである例を示したが、これに限定されない。積層体は、基材の下面に、粘着剤層が設けられていないテープでもよい。この形態は、例えば、以下のように使用できる。
・医療用の包帯として利用できる。この場合には、色変化層の色彩を確認することにより、適切な引っ張り強さ、均一な引っ張り強さで、巻かれていることを判定できる。
・タイヤの成形時に、タイヤに埋め込むことにより、タイヤと一体化させてもよい。この場合には、上記（１）と同様に、タイヤが適切な空気圧であるかを判定できる。
・ゴムベルト等の機械部品の成形時に、機械部品に埋め込むことにより、機械部品と一体化させてもよい。この場合には、上記（１）と同様に、このような機械部品の交換時期等を判定できる。
【００３４】
（３）実施形態において、色変化層は、基材上に直接積層されている例を示すが、これに限定されない。粘着テープを上側から観察した状態で、色変化層上に指標が観察されれば、積層構成、各層の構成等は、いずれの形態でもよい。
例えば、以下のような形態でもよい。
・基材にポリマー等を含ませることにより、基材が色変化層として機能してもよい。
・基材を透明な形態として、色変化層を基材よりも下側に積層してもよい。また、この形態では、粘着剤層にポリマー等を含ませることにより、粘着剤層が色変化層として機能してもよい。
・基材に透明層を設け、色変化層を、この透明層上に積層してもよい。
【００３５】
（４）実施形態において、指標は、色変化層に対応した色彩を、４つの色部が段階的に示す例を示したが、これに限定されない。指標は、色変化層に対応した色彩を、例えば、長手方向に細長い形状であって、色変化層に対応した色彩を連続的に段階的に示す形態、つまり、黄色から橙色へと変化するグラデーションで示してもよい。この形態では、粘着テープの引っ張り強さを、より詳細に判定できる。
【００３６】
（５）実施形態において、色変化層は、基材の全面に設けられている例を示したが、これに限定されない。
色変化層は、例えば、基材の長手方向に沿って帯状に設けられた形態や、指標が設けられている領域等に断続的に設けられた形態等でもよい。なお、これらの形態でも、色変化層に重なるように指標を積層することにより、作業者は、色変化層の色彩と、指標の色彩とを比較しやすい。
【００３７】
（６）実施形態において、粘着テープは、基材を備える例を示したが、これに限定されない。粘着テープは、基材を備えていなくてもよい。この場合には、例えば、色変化層に粘着剤層を直接積層した形態や、粘着剤層にポリマー等を含ませることにより粘着剤層が色変化層として機能する形態等にすればよい。
【００３８】
（７）実施形態において、粘着テープは、指標を備える例を示したが、これに限定されない。粘着テープは、指標を備えていなくてもよい。この場合には、色変化層の変化に対応した色彩の色見本を用意し、この色彩と色変化層の色彩とを比較することにより、粘着テープの引っ張り強さを判定できる。
【符号の説明】
【００３９】
１，１Ｌ，１Ｒ  粘着テープ
１０  基材
２０  色変化層
３０，３０−１〜３０−９  指標
３１〜３４  色部
５０  粘着剤層
６０  足
【図１】
2017024376.tif 000003
【図２】
2017024376.tif 000004
【図３】
2017024376.tif 000005